(57)【要約】      （修正有）【課題】  アート紙やコート紙（厚さ０．０５ｍｍ程度）で、野球、サッカーの応援用に、色彩鮮やかに印刷された安い鉢巻を作るために、布製のように頭に縛り固定することができないので、この点について、加工を含めてのコストを考え、金具や接着といった方法に頼らず、頭のサイズに合わせ簡単に固定できる方法を提供する。【解決手段】  紙製鉢巻の両端の一方には上から、他方には下から、鉢巻の幅の１／２だけ、等間隔に各人の頭のサイズに合わせるために数か所に切り目を付ける。頭に巻き、両先端の切り目を頭のサイズのところに設けた切り目に差し込み固定させる。こうして作った輪を頭に被れば、体裁のよい、しかも、安い鉢巻になる。縛ることが無理な少し厚みのあるプラスチックフィルムの場合でも、紙製の場合と同様である。【選択図】図１
2007119988.tif 000002
【特許請求の範囲】
【請求項１】
薄くて硬い普通紙、また、加工紙で競技の応援、および、専伝等を目的とする印刷された紙製鉢巻の作成について、鉢巻を頭のサイズに合わせ、一般の布製鉢巻のように縛るのではなく、簡単にしっかりと固定することができ、なおかつ、再使用も可能な方法に関するものである。  本鉢巻の幅は５〜７ｃｍ程度を標準とし、紙質は腰が折れるような柔軟なものではなく、紙の厚さは０．０５〜０．１５ｍｍ程度で厚くないものとする。  頭のサイズに合わせる長さの調節と固定法については、鉢巻の端の一方には上部から、他方には下部から、等間隔で数か所に鉢巻の幅の１／２の長さだけ切り目を付ける。  本鉢巻を巻き、頭のサイズに合わせ、両端の余った部分につき、左右の先端の切り目をそれぞれ反対側の切り目に差し込むと、体裁のよい頭のサイズの輪が容易に作れる。この輪を被った状態をもって鉢巻とする紙製鉢巻、および、縛ることが無理な少し厚目で硬さがある同様のプラスチックフィルム製鉢巻。
【発明の詳細な説明】
【発明の詳細な説明】
【背景技術】  鉢巻といえば布製であり、従来、紙製、および、プラスチックフィルム製鉢巻なるものは存在しない。従来品に替わるこれら鉢巻の利点は理解されるが、布製の場合のように縛る方法でなく、簡単にしっかりと固定する方法が思い付かれなかった。  金具や両面テープによる接着といった方法でも容易に固定することはできるが、再使用のことを考え、布製に比べて有利さへの迫力に欠け、実用化には至っていない。
【発明が解決しようとする課題】
スポーツの応援等で大勢が鉢巻をするには、色彩豊かで鮮明に印刷されていて、コストが安いことが望まれる。この点、布製よりも紙製、または、プラスチックフィルム製の方が条件にかなう。紙製の場合でいえば、布と風合が似ているものに和紙のような特殊紙があるが、コストのうえから安い普通紙でということになる。  布製の鉢巻は縛ることによって簡単に固定できることを特徴とするが、硬さのある紙やプラスチックフィルム製の鉢巻の場合には、縛る方法が採れないので、これに替わり、体裁よくコストも安く、簡単に固定できる方法を考案する必要がある。３）課題を解決するための手段、および、発明の効果  図面の▲１▼で示すように、本発明の鉢巻は従来の布製鉢巻と同じで、幅は５〜７ｃｍ程度、長さは７０〜７５ｃｍ程度を標準とし、厚さは紙が０．０５〜０．１５ｍｍ程度、プラスチックフィルムは０．１〜０．２ｍｍ程度で、硬く腰折れしないようなものである。  発明品の場合、布製のように縛って固定する方法が採れないことから、問題の解決には、次の方法が最良として考えられる。  図面の▲２▼で示すように、鉢巻の両端に等間隔で鉢巻の幅の１／２だけ、一方には上から、他方には下から、各人の頭のサイズに合わせ得るように数か所に切り目を付ける。この鉢巻を巻き、頭のサイズに合わせ、長さの余ったところで両先端の切り目を反対側の切り目にそれぞれ差し込み、鉢巻の幅を揃え固定させる。  こうした体裁のよい輪を作る方法で簡単に固定させ得ることによって、硬さのある紙、または、プラスチックフィルム製鉢巻でも布製の場合と対等の鉢巻になる。そうして、印刷は細部でも鮮明であり、また、再使用も可能であって、コストは布製に比べ極めて安く、スポーツの応援等で大勢が採用し得、発明品ならではの利点が発揮される。
【実施例】  紙はアート紙、もしくは、コート紙（Ａ３コート紙）で、厚さは０．０５ｍｍ、鉢巻の寸法については、幅が５ｃｍ、長さが７０ｃｍである。プラスチックフィルムの場合にはポリエチレン、もしくは、ポリプロピレンフィルムで厚さは０．１ｍｍである。（図面の▲１▼で示す）鉢巻には両端から各々３ｃｍの等間隔で４か所に、幅の１／２の長さの２．５ｃｍだけ打ち抜き機で切り目を付ける。（図面の▲２▼で示す）印刷では野球、もしくは、サッカーチームのマークや名称になる。（図面の▲３▼で示す）〔中央のマークのみを幅より大きくする場合もある。〕  左右の両先端部の切り目は、頭のサイズに合わせ、それぞれ反対側の切り目に、手元でもって差し込み輪を作る。これを頭に被ると鉢巻になる。従って、布製の鉢巻の場合のように、縛り目から余った部分が垂れた状熊になるということはない。
【図面の簡単な説明】
【図１】
2007119988.tif 000003
【手続補正書】
【提出日】平成18年1月13日(2006.1.13)
【手続補正１】
【補正対象書類名】明細書
【補正対象項目名】全文
【補正方法】変更
【補正の内容】
【書類名】明細書【発明の名称】紙製鉢巻【発明の詳細な説明】【背景技術】  鉢巻といえば布製であり、従来、紙製、および、プラスチックフィルム製鉢巻なるものは存在しない。従来品に替わるこれら鉢巻の利点は理解されるが、布製の場合のように縛る方法でなく、簡単にしっかりと固定する方法が思い付かれなかった。  金具や両面テープによる接着といった方法でも容易に固定することはできるが、再使用のことを考え、布製に比べて有利さへの迫力に欠け、実用化には至っていない。【発明が解決しようとする課題】  スポーツの応援等で大勢が鉢巻をするには、色彩豊かで鮮明に印刷されていて、コストが安いことが望まれる。この点、布製よりも紙製、または、プラスチックフィルム製の方が条件にかなう。紙製の場合でいえば、布と風合が似ているものに和紙のような特殊紙があるが、コストのうえから安い普通紙でということになる。  布製の鉢巻は縛ることによって簡単に固定できることを特徴とするが、硬さのある紙やプラスチックフィルム製の鉢巻の場合には、縛る方法が採れないので、これに替わり、体裁よくコストも安く、簡単に固定できる方法を考案する必要がある。３）課題を解決するための手段、および、発明の効果  図面の▲１▼で示すように、本発明の鉢巻は従来の布製鉢巻と同じで、幅は５〜７ｃｍ程度、長さは７０〜７５ｃｍ程度を標準とし、厚さは紙が０．０５〜０．１５ｍｍ程度、プラスチックフィルムは０．１〜０．２ｍｍ程度で、硬く腰折れしないようなものである。  発明品の場合、布製のように縛って固定する方法が採れないことから、問題の解決には、次の方法が最良として考えられる。  図面の▲２▼で示すように、鉢巻の両端に等間隔で鉢巻の幅の１／２だけ、一方には上から、他方には下から、各人の頭のサイズに合わせ得るように数か所に切り目を付ける。この鉢巻を巻き、頭のサイズに合わせ、長さの余ったところで両先端の切り目を反対側の切り目にそれぞれ差し込み、鉢巻の幅を揃え固定させる。  こうした体裁のよい輪を作る方法で簡単に固定させ得ることによって、硬さのある紙、または、プラスチックフィルム製鉢巻でも布製の場合と対等の鉢巻になる。そうして、印刷は細部でも鮮明であり、また、再使用も可能であって、コストは布製に比べ極めて安く、スポーツの応援等で大勢が採用し得、発明品ならではの利点が発揮される。【実施例】  紙はアート紙、もしくは、コート紙（Ａ３コート紙）で、厚さは０．０５ｍｍ、鉢巻の寸法については、幅が５ｃｍ、長さが７０ｃｍである。プラスチックフィルムの場合にはポリエチレン、もしくは、ポリプロピレンフィルムで厚さは０．１ｍｍである。（図面の▲１▼で示す）鉢巻には両端から各々３ｃｍの等間隔で４か所に、幅の１／２の長さの２．５ｃｍだけ打ち抜き機で切り目を付ける。（図面の▲２▼で示す）印刷では野球、もしくは、サッカーチームのマークや名称になる。（図面の▲３▼で示す）〔中央のマークのみを幅より大きくする場合もある。〕  左右の両先端部の切り目は、頭のサイズに合わせ、それぞれ反対側の切り目に、手元でもって差し込み輪を作る。これを頭に被ると鉢巻になる。従って、布製の鉢巻の場合のように、縛り目から余った部分が垂れた状熊になるということ���ない。【図面の簡単な説明】【図１】  紙鉢巻の平面図【符号の説明】  １：紙製鉢巻        紙厚  ０、０５ｍｍ        幅    ５ｃｍ        長さ  ７０ｃｍ  ２：切り目        長さ  ２５ｍｍ        間隔  ３ｃｍ，片方４か所  ３：カラー印刷        マーク，名称等【手続補正書】
【提出日】平成18年4月6日(2006.4.6)
【手続補正１】
【補正対象書類名】明細書
【補正対象項目名】全文
【補正方法】変更
【補正の内容】
【発明の詳細な説明】
【発明の詳細な説明】
【背景技術】  鉢卷といえば布製であり、従来、紙製、およびプラスチックフィルム製鉢卷なるもので、布製に劣らず、しっかりと固定されるようなものは存在しない。布製品に替わるこれら鉢卷の利点は理解されるが、布製の場合のように縛る方法でなく、簡単にしっかりと固定する優れた方法が思い付かれなかった。
金具や輪ゴム、両面テープによる接着等といった方法でも容易に固定することはできるが、再使用のことをも考え、布製に比べて有利さへの迫力に欠け、実用化には見劣りがする。
【発明が解決しようとする課題】
スポーツの応援等で大勢が鉢卷をするには、色彩豊かで鮮明に印刷されていて、コストが安いことが望まれる。この点、布製よりも、紙製、または、プラスチックフィルム製の方が条件にかなう。紙製の場合でいえば、布と風合が似ているものに、和紙のような特殊紙があるが、コストのうえから、また、印刷性の面から普通紙でということになる。
布製の鉢卷は縛ることによって簡単に固定できることを特徴とするが、硬さのある紙やプラスチックフィルム製の鉢卷の場合には、縛る方法が採れないので、これに替わり、体裁よくコストも安く、簡単に固定できる方法を考案する必要がある。
【課題を解決するための手段，および，発明の効果】
図面の▲１▼で示すように、本発明の鉢卷は従来の布鉢卷と同じで、幅は５〜７ｃｍ程度、長さは７０ｃｍ程度を標準とし、厚さは紙が０、１〜０、１５ｍｍ程度、プラスチックフィルムは０、１〜０、２ｍｍ程度で、硬く腰折れしないようなものである。
発明品の場合、布製のように縛って固定する方法が採れないことから、問題の解決には、次の方法が最良として考えられる。
図面の▲２▼で示すように、鉢卷の両端に等間隔で鉢卷の幅の１／２だけ、一方には上から、他方には下から、各人の頭のサイズに合わせ得るように数か所に切り目を付け、さらに、これを９０度曲げて５ｍｍ程度だけ切り目を曲げることは、上下の切り目のベクトルがそれるので、後述のロック固定に役立つばかりでなく、切り目が裂けることの防止になる。
この鉢卷を卷き、頭のサイズに合わせ、長さの余ったところで両先端の切り目を反対側の切り目にそれぞれ差し込み、鉢卷の幅を揃え、曲げた切り目の方向に引っ張るとロックした状態になり、ずれたり、離れたりすることなくしっかりと固定される。
こうした体裁のよい輪を作る方法で簡単に固定させ得ることによって、硬さのある紙、または、プラスチックフィルム製鉢卷でも布製の場合と対等の鉢卷になる。そうして、印刷は細部でも鮮明であり、また、再使用も可能であって、コストは布製に比べ極めて安く、スポーツの応援等で大勢が採用し得、発明品ならではの利点が発揮される。
【実施例】  紙質はマットコート紙（ニューエイジ）、厚さは約０、１ｍｍ、鉢卷の寸法は幅が５ｃｍ、長さが７０ｃｍである。プラスチックフィルムの場合にはポリエチレン、もしくは、ポリプロピレンフィルムで厚さは０、１５ｍｍである。（図面の▲１▼で示す）鉢卷には両端から各々２ｃｍの等間隔で４か所に幅の１／２の長さの２、５ｃｍだけ、さらに、直角に曲げて５ｍｍトムソン打ち抜き機で紙切り目を付ける。（図面の▲２▼で示す）印刷は野球、もしくは、サッカーチームのマークや名称になる。（図面の▲３▼で示す）（中央のマークのみを幅より大きくする場合もある。）
左右の両端部の切り目は、頭のサイズに合わせ、それぞれ反対側の切り目に、手元でもって差し込み、引っ張りロックした状態で固定し輪を作る。これを被ると鉢卷になる。従って、布製の鉢卷の場合のように、縛り目から余った部分が垂れた状態になるということはない。
【図面の簡単な説明】
【図１】紙鉢卷の平面図
【符号の説明】
▲１▼：紙製鉢卷
紙０、１ｍｍ
幅    ５ｃｍ
長さ  ７０ｃｍ
▲２▼：切り目
長さ  ２、５ｃｍ、横方向５ｍｍ
間隔２ｃｍ、  片方４か所
▲３▼：カラー印刷
マーク、名称等
【手続補正２】
【補正対象書類名】特許請求の範囲
【補正対象項目名】全文
【補正方法】変更
【補正の内容】
【特許請求の範囲】
【請求項１】
薄くて硬い普通紙、また、加工紙で競技の応援、および、専伝等を目的とする印刷された紙製鉢卷の作製について、鉢卷を頭のサイズに合わせ、一般の布製鉢卷のように縛るのではなく、簡単にしっかりと固定することができ、なおかつ、再使用も可能な方法に関するものである。
本鉢卷の幅は５〜７ｃｍ程度を標準とし、紙質は腰が折れるような柔軟なものではなく、紙の厚さは０、１〜０、１５ｍｍ程度で厚くないものとする。
頭のサイズに合わせる長さの調節と固定法については、鉢卷の端の一方には上部から、他方には下部から、等間隔で数か所に鉢卷の幅の１／２の長さだけ切り目を付け、さらには、各切り目の先端部に９０度曲げて５ｍｍ程度切り目を付ける。
本鉢卷を卷き、頭のサイズに合わせ、両端の余った部分につき、左右の先端の切り目をそれぞれ反対側の切り目に差し込み、鉢卷の輪が拡大する方向に引っ張ることにより、５ｍｍ程度の横方向の切り目が互に入り込み、ロックされた状態になって容易にずれたり、離れたりしなくなる。こうした構造からなる体裁のよい頭のサイズの輪が容易に作れる。この輪を被った状態をもって鉢卷とする紙製鉢卷、および、縛ることが無理な少し厚目で硬さがある同様のプラスチックフィルム製鉢卷。
【手続補正３】
【補正対象書類名】図面
【補正対象項目名】全図
【補正方法】変更
【補正の内容】
【図１】
2007119988.tif 000004